【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
その間に湾曲部を画定する、背もたれ部と着座部とを備える乗物シートに乗員を拘束するための装置であって、
可搬型ブースタシート、
前記ブースタシートに結合されて、前記ブースタシートが前記着座部の上に配置されるように、前記ブースタシートを前記乗物シートに装着するように構成された、装着アセンブリ、及び
前記ブースタシートと前記装着アセンブリとに結合されて、前記可搬型ブースタシート上に位置する乗員を拘束するように構成された、拘束アセンブリを含む、装置。
【請求項２】
前記装着アセンブリは、前記ブースタシートを前記乗物シートに装着するように構成された、１つまたは複数のウエブを備える、請求項１に記載の装置。
【請求項３】
前記１つまたは複数のウエブは、前記乗物シートの前記背もたれ部の少なくとも一部分のまわりに巻きつくように構成されている、請求項２に記載の装置。
【請求項４】
前記１つまたは複数のウエブの少なくとも１つは、前記乗物に取り付けられた第１のアンカーと係合するように構成された第１の連結具を有する、請求項３に記載の装置。
【請求項５】
前記第１のアンカーは、前記乗物に取り付けられた上方係留アンカーを備える、請求項４に記載の装置。
【請求項６】
前記第１のアンカーは、前記乗物シートに取り付けられたアンカーを備える、請求項４に記載の装置。
【請求項７】
前記第１のアンカーは、前記乗物シートの湾曲部に配置されている、請求項６に記載の装置。
【請求項８】
前記１つまたは複数のウエブの少なくとも１つは、前記乗物に取り付けられた第２のアンカーと係合するように構成された第２の連結具を有する、請求項７に記載の装置。
【請求項９】
前記第２のアンカーは、前記乗物シートの湾曲部に配置されている、請求項８に記載の装置。
【請求項１０】
前記１つまたは複数のウエブの少なくとも１つは、前記乗物に取り付けられた第３のアンカーと係合するように構成された第３の連結具を有する、請求項９に記載の装置。
【請求項１１】
前記ブースタシートは、それに取り付けられて、前記第１のアンカーと係合するように構成された、第２の連結具をさらに備える、請求項４に記載の装置。
【請求項１２】
前記ブースタシートは、それに取り付けられて、前記乗物に取り付けられた第２のアンカーと係合するように構成された、第２の連結具をさらに備える、請求項１１に記載の装置。
【請求項１３】
前記ブースタシートは、１つまたは複数のベルト受入れチャネルを形成する１つまたは
複数の付属体をさらに備え、前記乗物は一体式シートベルトシステムを有し、前記１つまたは複数のベルト受入れチャネルは、それを経由して前記一体式シートベルトシステムの１つまたは複数のベルトを受け入れるように構成されている、請求項１１に記載の装置。
【請求項１４】
前記ブースタシートは、それに取り付けられて、前記乗物に取り付けられた、それぞれ第２および第３のアンカーと係合するように構成された、第２および第３の連結具をさらに備え、第１のアンカーは上方係留アンカーを含む、請求項４に記載の装置。
【請求項１５】
前記ブースタシートは、１つまたは複数のベルト受入れチャネルを形成する１つまたは複数の付属体をさらに備え、前記乗物は、一体式シートベルトシステムを有し、前記１つまたは複数のベルト受入れチャネルは、それを経由して前記一体式シートベルトシステムの１つまたは複数のベルトを受け入れるように構成されている、請求項１４に記載の装置。
【請求項１６】
前記ブースタシートは、１つまたは複数のベルト受入れチャネルを形成する１つまたは複数の付属体をさらに備え、前記乗物は、一体式シートベルトシステムを有し、前記１つまたは複数のベルト受入れチャネルは、前記一体式シートベルトシステムの１つまたは複数のベルトをそこを通して受け入れるように構成されている、請求項４に記載の装置。
【請求項１７】
前記ブースタシートは、それに取り付けられて、前記乗物に取り付けられた第１のアンカーと係合するように構成された、第１の連結具をさらに備える、請求項１に記載の装置。
【請求項１８】
前記ブースタシートは、１つまたは複数のベルト受入れチャネルを形成する１つまたは複数の付属体をさらに備え、前記乗物は、一体式シートベルトシステムを有し、前記１つまたは複数のベルト受入れチャネルは、それを経由して前記一体式シートベルトシステムの１つまたは複数のベルトを受け入れるように構成されている、請求項１７に記載の装置。
【請求項１９】
前記拘束アセンブリは、５点式拘束システムを備える、請求項１に記載の装置。
【請求項２０】
前記拘束アセンブリは、４点式拘束システムを備える、請求項１に記載の装置。
【請求項２１】
前記拘束アセンブリは、胸ストラップをさらに備える、請求項１９に記載の装置。
【請求項２２】
前記拘束アセンブリは、胴支持アセンブリをさらに備える、請求項２１に記載の装置。
【請求項２３】
前記拘束アセンブリは、横方向支持アセンブリをさらに備える、請求項２２に記載の装置。
【請求項２４】
前記拘束アセンブリは、横方向支持アセンブリをさらに備える、請求項１９に記載の装置。
【請求項２５】
前記横方向支持アセンブリは、一対の可動翼を備える、請求項２３又は２４に記載の装置。
【請求項２６】
前記翼は、解放機構を作動させることなく望みに応じて位置決め可能であり、ロック機構をかけることなく、所望位置に保持することができる、請求項２５に記載の装置。
【請求項２７】
前記拘束アセンブリは、高さ調節器を含む、請求項１に記載の装置。
【請求項２８】
前記装着アセンブリは、それを経由して前記１つまたは複数の装着ウエブを受け入れるように構成された位置決め部材をさらに備える、請求項２に記載の装置。
【請求項２９】
前記位置決め部材は、前記背もたれ部に結合されている、請求項２８に記載の装置。
【請求項３０】
２つ以上のブースタシートと、それに関連する装着アセンブリおよび拘束アセンブリとをさらに備える、請求項１に記載の装置。
【請求項３１】
前記２つ以上のブースタシートは、前記乗物シートに装着されるときに、剛直に連結されている、請求項３０に記載の装置。
【請求項３２】
その間に湾曲部を画定する、着座部と背もたれ部を有する乗物シートに乗員を拘束するための拘束システムであって、
前記乗物シートの着座部上に配置され、その上の着座位置にいる乗員を支持するように構成された可搬型シート座部、
前記シート座部に結合されて、乗物シートに装着するように構成された、装着アセンブリ、および
前記シート座部と前記装着アセンブリとに結合されて、前記シート座部上に位置する乗員を拘束するように構成された、拘束アセンブリを備える、拘束システム。
【請求項３３】
前記装着アセンブリが、前記乗物シートの背もたれ部に巻きつくように構成されている、請求項３２に記載の拘束システム。
【請求項３４】
前記乗物シートの着座部が湾曲部に隣接する後部と、前記湾曲部から離れて前方に延びる前部とを画定し、前記装着システムは、前記着座部の下を、その後部から前部に向って延び、次いで、上方に延びて前記シート座部と係合するようにさらに構成されている、請求項３３に記載の拘束システム。
【請求項３５】
前記乗物シートの背もたれ部は、湾曲部に隣接する底部と、該底部から離れて上方に延びる上端部とを画定し、前記装着アセンブリは、前記乗物シートの背もたれ部の上端部を越えて延びて、アンカー部材と係合するように構成されている、請求項３２に記載の拘束システム。
【請求項３６】
前記アンカー部材は、前記乗物シートおよび前記拘束システムを搭載している乗物に装着されている、請求項３５に記載の拘束システム。
【請求項３７】
前記乗物シートの背もたれ部は、前記着座部に隣接する前面と、背面とを画定し、前記アンカー部材は前記背もたれ部の背面に装着されている、請求項３５に記載の拘束システム。
【請求項３８】
前記装着アセンブリは、前記乗物シートの湾曲部に配置された少なくとも１つのアンカーに装着される、請求項３２に記載の拘束システム。
【請求項３９】
前記拘束アセンブリは、多点式拘束ハーネスである、請求項３２に記載の拘束システム。
【請求項４０】
前記装着アセンブリに結合された複数のシート座部をさらに含み、前記複数のシート座部のそれぞれは、それ自体と前記装着アセンブリとに結合された、別個の拘束アセンブリを有し、前記別個の拘束アセンブリはそれぞれ、対応するシート座部上に位置する異なる乗員を拘束するように構成されている、請求項３２に記載の拘束システム。